(57)【特許請求の範囲】
【請求項１】
壁の穴の補修に使用するための裏当て装置であって、
正面及び背面を規定する折り曲げ可能な裏当て部材を備え、
この裏当て部材は、第１の外側パネル、及び第２の外側パネル、並びに第１又は第２の外側パネルよりも幅広の中央パネルを備え、前記第１の外側パネルと前記第２の外側パネルは、第１のヒンジ部分において互いに連結され、前記第１の外側パネルと前記中央パネルは第２のヒンジ部分において互いに連結され、各々のヒンジ部分は、パネル同士を互いに連結するためにパネルの背面を横切って延びる柔軟な材料を含み、前記第１のヒンジ部分が第１のヒンジ軸を規定し、前記第２のヒンジ部分が第２のヒンジ軸を規定し、前記第１のヒンジ軸は前記第２のヒンジ軸に対して平行に延び、
前記裏当て部材は、平らな状態となることが可能であり、前記平らな状態から前記正面の方向に折り曲げられた状態になることが可能であり、
前記裏当て部材は、前記平らな状態では前記背面に向けて比較的堅くなるように構成されており、
前記第１及び第２のヒンジ部分は、前記平らな状態において前記背面側に折り畳まれるのを防止する係止機構を備える、裏当て装置。
【発明の詳細な説明】
【技術分野】
【０００１】
本開示は一般的には、例えば木材、ドライウォール、石膏などの穴を補修するための装置、キット、及び方法に関する。より詳細には、本開示は、穴（例えば、実施形態によっては壁の穴）の背後に、補修用コンパウンドを支持するための足場型の構造を与えるための装置、並びに関連するキット及び方法に関する。
【背景技術】
【０００２】
家屋及び建物の内壁は、しばしば石膏壁板パネル（ドライウォールと呼ばれる場合もある）を用いて構築されている。空洞、凹み、穴などがある場合（欠陥又は破損により）、壁補修用コンパウンド、詳細にはスパックリングコンパウンドを使用してこのような空洞を塞ぐのが一般的である。従来のスパックリングコンパウンドは、１種類以上の無機充填剤、１種類以上のポリマー樹脂結合剤、並びに各種の増粘剤及び他の添加剤をしばしば含んでいる。無機充填剤の中でも特にガラス気泡、中空シリカ、又は膨張させたパーライトなどの比較的低密度の充填剤をしばしば含有する軽量のスパックリングコンパウンドが開発されている。スパックリングコンパウンドが壁に塗布された後、一定の時間をかけて水分が蒸発することで、乾燥、硬化した材料が形成され、これをサンドペーパーで磨いたり、塗装したりすることができる。
【０００３】
スパックリングコンパウンドは当該技術分野では周知である。例えば、米国特許第６，５３１，５２８号（カープ（Ｋｕｒｐ））は、色変化指示剤を含む、すぐに使用できるパッチ型補修製品を開示している。製品が乾燥した後、色が変化することで、必要な場合に、使用者が塗装、サンドペーパーによる磨きなどの他の操作を表面に対して行うことができることを指示する。米国特許第７，７９０，７９６号（フォスター（Foster）ら）は、滑らかに塗布することが容易であり、乾燥時にひび割れを生じることなく、公知のスパックリングコンパウンドと比較してより厚い層として塗布することができ、乾燥後に、ピッティング、剥離、又は崩れを、特に塗布されたスパックリングパッチの縁部において生じることなく修正することが可能なスパックリングコンパウンドを開示している。米国特許出願公開第２０１３／０１９０４３号（ゴザム（Ｇｏｚｕｍ）ら）は、自己プライミング型のスパックリングコンパウンドを開示している。
【０００４】
これら及び他のスパックリングコンパウンドは、熟練のプロから日曜大工（ＤＩＹ）のホームオーナーのようなそれほど経験のない者まで、幅広い技能にわたるエンドユーザーに広く受け入れられている。実際の使用では、小さな穴、ひび割れなどはスパックルで容易に補修される。より大きな壁穴は、通常、補修が大幅に困難である。大きな穴（例えば、長径が少なくとも２インチで、壁の厚み全体を貫通したもの）は、様々な原因によって生じる可能性があり（例えば、ドアノブの衝突）、スパックリングコンパウンドを穴に単純に塗布することでは通常は補修できない。穴の大きさのため、スパックリングコンパウンドが付着するための壁の表面積が充分でない。代わりに、穴を塞ごうとすると、スパックリングコンパウンドの大部分は穴から単純に落下してしまう（補修中の壁の「隠れた」背面に沿って落下する）。
【０００５】
大きな壁穴に対処するためにプロが用いる方法の１つに、穴の周囲の壁の部分を切断して（例えば、壁の裏側の間柱の間隔に対応した）一般的な大きさとすることがある。切断された壁の部分は取り除かれ、同じ大きさに切断された似通った壁材料の小片に置き換えられる。多くの場合（例えば、ドライウォールの場合）、この手法では、新しい壁の部分と既存の壁との接合部にテープを貼り、補修材を塗り、サンドペーパーをかけることが更に必要である。これらの方法はプロの技能を必要とするものであり、ＤＩＹ愛好者にとってはまったく現実的ではない。
【０００６】
別の方法として、何らかの足場材を、穴を覆うように、又は穴の内部に形成してから、スパックリングコンパウンドを足場材に塗布することがある。この手法は理論的には分かりやすい単純なものであるが、実際に行うとなると実現が困難である。最大の課題は、壁に足場材を組むことである。理想的には、足場材は、足場材の厚みが目に見える前面よりも突出しないように壁の隠れた「背面」に取り付けられる。しかしながら、これは、もともと空いている穴を通じて外側／前方から足場材を扱うことでのみ行うことが可能であり、これは特に足場材を壁に固定もしようとする場合には極めて困難でありうる。これらの障害を考慮した従来の手法の１つとして、壁の前面に穴を覆ってワイアメッシュ又はメッキされたスチールパネル片をテープで貼り付けることがある。ワイアメッシュの上にスパックルを塗布する。このワイアメッシュは壁面の「前」にあることから、既存の壁面との比較的滑らかな連続部を与えるために、スパックルを後で注意深くサンドペーパーで磨く（又は塗り広げて縁をぼかす）必要がある。この方法は受け入れられてはいるものの、時間がかかり、多くのＤＩＹ愛好者などの経験の少ない者にとっては極めて面倒なものとなりうる。
【０００７】
既存の穴を介して壁の後面に足場材を組むことを容易にする様々な方法及び装置が提案されている。残念なことに、既知の装置はコストが嵩み、操作が難しく、商業的な成功を収めているとしても限られたものである。
【発明の概要】
【課題を解決するための手段】
【０００８】
本開示の発明者らは、既存の穴を通じて容易に操作され、穴の周囲の後面に容易に取り付けられる、大きな穴の補修装置に対するニーズが存在することを認識したものである。特定の実施形態では、穴は垂直な壁にあるものである。
【０００９】
本開示の特定の実施形態は、穴を補修する際に有用な裏当て装置に関する。特定の実施形態では、穴は、例えば、家屋又は建物構造の壁（例えば、垂直な壁、天井、中空構造のドアの壁又はパネルなど）の比較的大きな穴のような、壁の穴である。裏当て装置は、折り曲げ可能な裏当て部材と、接着ストリップとを有する。裏当て部材は、背面の反対側に正面を規定し、ヒンジ部分において連結された第１及び第２のパネルを有する。接着ストリップは正面上に配置される。裏当て部材は、壁の穴に通すために平らな状態から折り曲げられた状態に折り畳むことが可能である。裏当て部材は、壁の「後ろ」に配置された後、平らな状態に移行させられ、接着ストリップを用いて裏当て装置が壁の後面に取り付けられる。壁に最終的に組み付けられると、裏当て装置は穴の少なくとも一部を覆うか又は包含し、壁補修用コンパウンドを受容するための足場構造又はその一部として機能する。特定の実施形態では、裏当て装置は、平らな状態にある場合に、一方向に比較的堅くて曲がらず、逆の方向には折り曲げることができる。
【００１０】
本開示の他の態様は、壁の大きな穴を補修するためのキットに関するものである。キットは、上記に述べた裏当て装置の少なくとも１つを、壁補修用コンパウンドとともに含む。キットは、１つ以上のカバー物品、ツール、取扱説明書などの他の構成要素を必要に応じて含む。
【図面の簡単な説明】
【００１１】
【図１Ａ】本開示の原理に基づく、平らな状態の壁補修用裏当て装置の正面平面図である。
【図１Ｂ】図１Ａの裏当て装置の背面平面図である。
【図２】折り曲げられた状態の図１Ａの裏当て装置の側面図である。
【図３】本開示の原理に基づく、壁補修用キットの簡略図である。
【図４Ａ】壁の穴の補修における図１Ａの裏当て装置の使用を示す。
【図４Ｂ】壁の穴の補修における図１Ａの裏当て装置の使用を示す。
【図５Ａ】壁の穴の補修における図１Ａの裏当て装置の使用を示す。
【図５Ｂ】壁の穴の補修における図１Ａの裏当て装置の使用を示す。
【図６Ａ】壁の穴の補修における図１Ａの裏当て装置の使用を示す。
【図６Ｂ】壁の穴の補修における図１Ａの裏当て装置の使用を示す。
【図６Ｃ】壁の穴の補修における図１Ａの裏当て装置の使用を示す。
【図７】壁の穴の補修における図１Ａの裏当て装置の使用を示す。
【図８Ａ】壁の穴の補修における図１Ａの裏当て装置の使用を示す。
【図８Ｂ】壁の穴の補修における図１Ａの裏当て装置の使用を示す。
【図９Ａ】壁の穴の補修における図１Ａの裏当て装置の使用を示す。
【図９Ｂ】壁の穴の補修における図１Ａの裏当て装置の使用を示す。
【図９Ｃ】壁の穴の補修における図１Ａの裏当て装置の使用を示す。
【図１０】壁の穴の補修における図１Ａの裏当て装置の使用を示す。
【図１１】本開示の原理に基づく、図３のキットとともに有用である別の壁補修用裏当て装置の分解斜視図である。
【図１２Ａ】平らな状態の図１１の裏当て装置の裏当て部材構成要素の側面図である。
【図１２Ｂ】折り曲げられた状態の図１２Ａの裏当て部材の側面図である。
【図１３】押出し成形された部品としての図１２Ａの裏当て部材の斜視図である。
【図１４】図３のキットとともに有用である本開示の別の実施形態の裏当て装置の斜視図である。
【図１５Ａ】壁の穴の補修における図１１の裏当て装置の使用を示す。
【図１５Ｂ】壁の穴の補修における図１１の裏当て装置の使用を示す。
【図１６】壁の穴の補修における図１１の裏当て装置の使用を示す。
【図１７Ａ】壁の穴の補修における図１１の裏当て装置の使用を示す。
【図１７Ｂ】壁の穴の補修における図１１の裏当て装置の使用を示す。
【図１７Ｃ】壁の穴の補修における図１１の裏当て装置の使用を示す。
【図１８】本開示の原理に基づく、図３のキットとともに有用である別の実施形態の壁補修用裏当て装置の斜視図である。
【図１９Ａ】本開示に一般的に述べられる種類の裏当て装置の別の実施形態の概略斜視図である。
【図１９Ｂ】本開示に一般的に述べられる種類の裏当て装置の別の実施形態の概略斜視図である。
【発明を実施するための形態】
【００１２】
本開示の壁補修用裏当て装置、キット、及び方法は、石膏壁板、ドライウォール、木材、コンクリート、スタッコ、煉瓦などの様々な構成の壁の比較的大きな穴（例えば、長径が少なくとも２インチで、壁の厚み全体を貫通して形成されたもの）の補修を容易にするのに適している。本開示の装置、キット、及び方法は、あらゆる向きの壁（例えば、垂直壁、天井、中空構造のドアの壁又はパネルなど）の補修に使用することができる。
【００１３】
本開示の原理に基づく壁補修用裏当て装置２０の一実施形態が図１Ａ及び１Ｂに示されている。裏当て装置２０は、折り畳み式裏当て部材２２及び少なくとも２つの接着ストリップ２４ａ、２４ｂを有している。異なる構成要素の詳細を以下に示す。しかしながら、一般的に言うと、裏当て部材２２は、図１Ａ及び１Ｂの平らな状態（補修しようとする穴よりも少なくとも１つの寸法において大きなサイズ又は設置面積を有する）から、補修しようとする穴をより容易に通り抜ける、折り曲げられた又は折り畳まれた状態へと折り畳み可能又は折り曲げ可能である。いったん穴を通り抜けたなら、裏当て部材２２は平らな状態に自然に又は強制的に戻される（場合により、平らな状態に自己復帰する裏当て部材２２を含む）。次いで、裏当て部材２２が平らな状態で、裏当て装置２０を接着ストリップ２４ａ、２４ｂにより壁の後面に取り付ける。特定の実施形態では、裏当て部材２２は、平らな状態から一方向に容易に折り曲がることが可能であり、（平らな状態で）逆方向には比較的堅くて曲がらない。
【００１４】
裏当て部材２２は、背面２８（図１Ｂ）の反対側に正面２６（図１Ａ）を概ね規定している。裏当て部材２２は、平らな状態から折り曲げられた状態に折り畳むことが可能であり、かつ（平らな状態で）少なくとも１つの方向に充分な剛性を示すことができる様々な形態をとることができる。より一般的に言うと、裏当て部材２２は、図１Ａ及び１Ｂの平らな状態ではｘ−ｙ平面内にある２次元形状又は設置面積を有し、その形状はｙ方向に最大長さＬを、ｘ方向に最大平坦状態幅ＷＦを有する。ちなみに、下記に述べる裏当て部材２２の折り曲げ可能な性質は、幅（及び奥行き）方向に対するものであり、裏当て部材２２の最大長さＬは、特定の実施形態では平らな状態と折り曲げられた状態との間で変化しない。最大長さＬは最大平坦状態幅ＷＦよりも大きく、以下に明らかにされる理由のため、補修される壁の穴の予想されるサイズよりも大きくなるように選択される。このため、特定の実施形態では、最大長さＬは、およそ少なくとも３インチ、又は少なくとも４インチ、又は少なくとも５インチ、又は少なくとも６インチである。エンドユーザーに提供される関連する実施形態では、裏当て部材２２は、およそ５インチ以上の最大長さＬを有してよく、エンドユーザーは、補修される穴のサイズにしたがって裏当て部材２２をより短い最大長さＬに手作業でトリムすることが可能である（例えば、設置時の裏当て部材２２の最大長さＬは、補修される穴の最大寸法にわたって延びるとともに、対向する接着ストリップ２４ａ、２４ｂを穴の両側の壁の表面と接触させて配置できるだけの充分な大きさでなければならない）。
【００１５】
平らな状態における最大平坦状態幅ＷＦは、補修される穴の予想されるサイズに概ね一致する様々な寸法を有してもよい。特定の実施形態では、最大平坦状態幅ＷＦは、およそ１〜５インチとすることができる。いずれにせよ、平らな状態における最大平坦状態幅ＷＦは、補修される穴の最大寸法に近いか、又はわずかに大きくてよい。これらの状況では、裏当て部材２２（平らな状態の）は、穴を容易に「通り抜ける」ことはない（最大長さＬ及び最大平坦状態幅ＷＦが補修される穴のサイズよりも大きな設置面積を確立するため）。しかしながら、折り曲げ可能な、又は折り畳み可能な構造のため、裏当て部材２２は、折り曲げられた状態に手作業で関節動作により折り曲げることが可能であり、その１つの例が図２の側面図に示されている。図に示されるように、裏当て部材２２を（例えば正面２６の方向に）折り曲げることは、幅（又はＸ方向）の減少と奥行き（Ｚ方向）の増大を伴う。折り曲げられた状態の裏当て部材２２の最大折り曲げ状態幅ＷＣは、最大平坦状態幅ＷＦ（図１Ａ及び１Ｂ）よりも小さく、（折り曲げられた状態の）裏当て部材２２は補修される穴をより容易に通過することができる。
【００１６】
図１Ａ及び１Ｂに戻り、特定の実施形態では、裏当て部材２２は複数のパネル３０を有しており、それらの直接隣り合ったもの同士は対応したヒンジ部分３２によって連結されている。例えば、図１Ａ及び１Ｂの例示的な裏当て部材２２は、３つのパネル３０ａ、３０ｂ、３０ｃ及び２つのヒンジ部分３２ａ、３２ｂを有している（第１のパネル３０ａと第２のパネル３０ｂとは第１のヒンジ部分３２ａにおいて互いに連結されており、第２のパネル３０ｂと第３のパネル３０ｃとは第２のヒンジ部分３２ｂにおいて互いに連結されている）。あるいは、裏当て部材２２は、２つのみのパネル３０（及び１つのヒンジ部分３２）、又は３つ以上のパネル３０（及び対応した数のヒンジ部分３２）を有してもよい。
【００１７】
各パネル３０は同じものであってよく、木材、プラスチック、厚紙などの比較的薄く、構造的に丈夫な材料で形成される。例示的な一実施形態では、各パネル３０はそれぞれ、従来の木製又はプラスチック製のアイススティック棒、キャンデーの棒、又は舌圧子に似たものである。各パネル３０は様々な寸法を有してよい。パネル３０のそれぞれの幅（幅方向ｘの各パネル３０間の間隔に沿って）が加え合わされて裏当て部材２２の最大平坦状態幅ＷＦが規定される点は理解されよう。したがって、予想される穴を「覆う」のに充分な表面積を実現するためには、裏当て部材２２とともに与えられるパネル３０の数は、幅の小さいパネル３０では増えることになる。特定の実施形態では、パネル３０のそれぞれは、およそ０．１〜１．５インチ、又はおよそ０．２５〜１．０インチ、又はおよそ０．４〜０．８インチの幅を有する。更なる他の実施形態では、パネル３０はそれぞれ、０．６２５インチの公称幅を有するアイススティック棒である。パネル３０は、図に示されるように別個に形成して後で連結することができる。他の実施形態では、裏当て部材２２は下記に述べるような一体形成された均一な本体として実現されてもよい。
【００１８】
パネル３０の隣り合ったもの同士の間のヒンジ部分３２、したがってヒンジ式又は枢動可能な連結は、様々な形態で確立することができる。特定の実施形態では、ヒンジ部分３２は、すべてのパネル３０に取り付けられた（かつすべてのパネル３０にわたった）少なくとも１つの可撓性材料層又はフィルム４０によって与えられる。この構成では、材料層又はフィルム４０は、ヒンジ部分３２のそれぞれを確立又は形成する。材料層又はフィルム４０は、図に示されるように裏当て部材２２の背面２８に適用されてもよく、又は正面２６に適用されてもよい。いずれにせよ、材料層又はフィルム４０は、ヒンジ部分３２のそれぞれにおいて容易に曲がるか又は関節動作するように構成される（例えば、材料層又はフィルム４０の本質的な薄さのため）。特定の実施形態では、材料層又はフィルム４０は、スリー・エム社（３Ｍ  Ｃｏｍｐａｎｙ）より販売されるマスキングテープ製品のいずれかのような接着テープである。テープとともに与えられる接着剤は、パネル３０の材料と適合性を有する（すなわち、強力な接着を確立する）ように選択される。各パネル３０を互いに対して取り付けることが可能であり、可撓性のヒンジ部分３２を与えることが可能な他の材料層も想到される。
【００１９】
図１Ａ及び１Ｂは、材料層又はフィルム４０を１個の均質な本体として示しているが、他の実施形態では、材料又はフィルムの２つ以上のストリップを用いてパネル３０を全体として連結し、ヒンジ部分３２を与えることもできる。いずれにせよ、材料層又はフィルム４０は、裏当て部材２２がｘ方向及びｙ方向にパネル３０及びヒンジ部分３２にわたって選択的に連続した又はつながった裏当て部材２２の中央領域５０を確立するように、サイズ設定されかつパネル３０に対して配置される。別の言い方をすれば、各パネル３０は、全体として、対向する側縁部５２ａ、５２ｂ及び対向する端縁部５４ａ、５４ｂを含む、裏当て部材２２の外周を規定するものとして見ることができる。材料層又はフィルム４０は、最も外側のパネル３０ａ、３０ｃに取り付けられ、それらの間に延びている。特定の実施形態では、材料層又はフィルム４０は、対向する端縁部５４ａ、５４ｂにまで延びる必要は必ずしもない（例えば、材料層又はフィルム４０は、各パネル３０の対応する端縁部５４ａ、５４ｂから間隔をおいた対向する縁５６ａ、５６ｂで終端する）。したがって、中央領域５０の外側となるパネル３０ａ〜３０ｃの隣り合うもの同士の間の間隔は、開放されたままとなっている。しかしながら、中央領域５０内では、裏当て部材２２はｘ、ｙ方向に連続しているか又はつながっている（すなわち、パネル３０ａ〜３０ｃの隣り合うもの同士の間の間隔が、材料層又はフィルム４０に包含される）。したがって、ｘ（又は幅）方向において、裏当て部材２２は、中央領域５０内の対向する側縁部５２ａ、５２ｂの間で連続しているか又はつながっている。裏当て部材２２は、中央領域５０内においてｙ（又は高さ）方向にも連続しているか又はつながっている（すなわち、材料層又はフィルム４０、したがってヒンジ部分３２が、パネル３０（対向する端縁部５４ａ、５４ｂの間でそれぞれ連続しているか又はつながっている）と同様に、対向する縁５６ａ、５６ｂの間で連続しているか又はつながっている）。このような連続した又はつながった構成では、中央領域５０は、壁補修用コンパウンドがそこから漏れることも突出することもない完全な、又は連続した表面を確立する。
【００２０】
接着ストリップ２４ａ、２４ｂは、裏当て部材２２の正面２６に適用され、特定の実施形態では同じものであってよい。接着ストリップ２４ａ、２４ｂは、補修される壁の材料と接着するのに適した接着面６０を与えるように、概して構成されている。例えば、接着ストリップ２４ａ、２４ｂは、スリー・エム社（３Ｍ  Ｃｏｍｐａｎｙ）より販売される両面接着テープとして提供されてもよい（例えば、Ｄｏｕｂｌｅ  Ｃｏａｔｅｄ  Ｕｒｅｔｈａｎｅ  Ｆｏａｍ  Ｔａｐｅ又はＤｏｕｂｌｅ  Ｃｏａｔｅｄ  Ｐｏｌｙｅｔｈｙｌｅｎｅ  Ｆｏａｍ  Ｔａｐｅの商品名でスリー・エム社（３Ｍ  Ｃｏｍｐａｎｙ）より販売される両面発泡材テープのいずれか）。接着ストリップ２４ａ、２４ｂはそれぞれ、パネル３０の隣り合うもの同士の間の間隔にわたって延びている様子が示されているが、他の実施形態では、接着ストリップ２４ａ、２４ｂの一方又は両方をパネル３０の個々のものに適用される別個の部分として形成することができる。多くの他の構成（例えば、スプレー式接着剤）も同様に許容される。
【００２１】
接着面６０は、当該技術分野で周知の感圧接着剤、永久接着剤などの様々な適当な接着剤により与えることができる。関連する実施形態では、エンドユーザーに最初に提供されるとき、裏当て装置２０は、接着面６０のそれぞれを覆って剥離可能に配される剥離ライナー（図示せず）を有してもよい。他の実施形態では、剥離ライナー（又は類似の構造）は必要でないか、省略することができる。例えば、接着ストリップ２４ａ、２４ｂとともに使用される接着剤は、加えられた力（例えば、下記に述べるように接着面６０が壁の表面に対して押圧される際に加わる力など）に応じて「活性化」されるように構成することができる。特定の実施形態ではまた、接着ストリップ２４ａ、２４ｂの接着剤は、剪断力又は圧縮力に応じて壊れるように構成された、当該技術分野で周知のガラスマイクロバブル内に接着剤成分が閉じ込められるか又は封入されたマイクロカプセル化接着剤（例えば、ポリウレタン接着剤を封入した低強度ガラスマイクロバブル）とすることができる。ガラスマイクロバブルが壊れると、接着剤成分が露出し、接着面６０と接触させられる表面との接着に利用可能となる。
【００２２】
特定の実施形態では、裏当て装置２０は、エンドユーザーに提供されるとき、裏当て部材２２に予め適用された接着ストリップ２４ａ、２４ｂを有する。他の実施形態では、例えば本開示の特定のキットでは、接着ストリップ２４ａ、２４ｂの一方又は両方を、裏当て部材２２とは別にエンドユーザーに提供することができる。これらの選択的な実施形態では、次にエンドユーザーは、接着ストリップ２４ａ、２４ｂの一方又は両方を取り付けて裏当て装置２０を完成させる。この選択的な方式では、エンドユーザーは、接着ストリップ２４ａ、２４ｂの両方を裏当て部材２２に取り付けるのに先立って、裏当て部材２２を所望のサイズにトリムすることができる。
【００２３】
裏当て装置２０は、上記に述べたものとは異なる他の形態をとることもでき、必要に応じて１つ以上の更なる構成要素を含むこともできる。例えば、裏当て装置２０は、本開示の他の実施形態と関連して下記に述べるようなテザー（図示せず）を更に含んでもよい。
【００２４】
裏当て装置２０は、壁の穴の補修を容易とするために使用することができ、図３に示されるキット７０の一部として提供することができる。キット７０は、必要に応じて２つ（又はそれ以上）の裏当て装置２０（例えば、裏当て装置２０Ａ及び２０Ｂ）、及び壁補修用コンパウンド７２（例えば、スパックリングコンパウンド）を含んでいる。壁補修用コンパウンド７２は、通常、閉鎖された容器にパッケージングされ、作業が行われる特定の種類の壁材料に適した任意の配合を有しうる（例えば、補修される壁がドライウォールである場合には、壁補修用コンパウンド７２はいかなる周知の又は入手可能なスパックリングコンパウンドであってよい）。特定の実施形態では、壁補修用コンパウンド７２の配合物は、例えばその教示内容の全体を本明細書に参照により援用するところの、発明の名称が「大きな壁の穴の補修用コンパウンド及びその使用方法（Ｌａｒｇｅ  Ｈｏｌｅ  Ｗａｌｌ  Ｒｅｐａｉｒ  Ｃｏｍｐｏｕｎｄ  ａｎｄ  Ｍｅｔｈｏｄｓ  ｏｆ  Ｕｓｅ）」である米国特許出願第６２／０１５０７６号、同第６２／１１００３８号、及び同第６２／１１０７６２号に記載される配合物のような、ドライウォールの大きな穴を塞いで補修するのに適当なものであってもよい。関連する実施形態では、キット７０は、裏当て装置２０及び壁補修用コンパウンド７２、並びに取扱説明書、１つ以上のツール（例えば、スパックリングツール、パテナイフなど）などの任意の追加品目が一般的に入ったパッケージを含む。
【００２５】
裏当て装置２０がエンドユーザーにキットの一部として提供されるか否かによらず、壁の穴の補修を容易とするうえでの裏当て装置２０の使用について、壁８０を示した図４Ａ及び４Ｂを参照して最初に説明することができる。壁８０は、後面８４の反対側に前面８２を形成又は規定している。ちなみに、壁８０は、建物又は家屋の骨組構造の一部として与えられる垂直壁であってよく、壁８０はその後面８４で骨組（例えば、間柱）に取り付けられる。このような状況下では、前面８２がユーザーに面し、目に見えるのに対して、後面８４は覆われているか又は隠れている。ユーザーは、後面８４に直接又は容易にアクセスすることはできない。いずれにせよ、穴８６が壁８０を貫通して形成されている（すなわち、前面８２と後面８４との間に延び、前面８２及び後面８４に開口している）。ユーザーは穴８６を補修したいと望んでいる。本開示の裏当て装置２０（図１Ａ及び１Ｂ）は、多くの異なるサイズ及び形状の穴８６を補修するのに非常に適している。特定の実施形態では、穴８６は比較的大きいものである（例えば、長径が少なくとも２インチ）。
【００２６】
特定の選択的な実施形態では、図１Ａを更に参照し、ユーザーはまず、裏当て装置２０を配置するのに先立って、穴８６のサイズと裏当て装置２０（平らな状態の）のサイズとを目で見て比較することができる。一般的に言うと、裏当て装置２０のサイズと穴８６のサイズとの関係は、対向する接着ストリップ２４ａ、２４ｂの間の距離が、穴８６の最大寸法よりもわずかに大きくなるようなものであることが望ましい（これにより、接着ストリップ２４ａ、２４ｂを、穴８６の両側に対して間隔をあけて壁８０に接して配置することができる）。裏当て装置２０が穴８６よりも大幅に大きい（例えば、裏当て装置２０の長さＬが穴８６の最大寸法（図４ＡでＭで示される）よりも大幅に大きい）と判定される状況では、ユーザーは裏当て装置２０をより小さいサイズ（例えば、短い長さＬ）にトリムすることができる。接着ストリップ２４ａ、２４ｂのそれぞれの少なくとも一部は、トリミング操作の後に残っていなければならない。関連する代替的な実施形態では、裏当て部材２２は、接着ストリップ２４ａ、２４ｂの一方又は両方とは別にユーザーに最初に提供される。こうした状況では、ユーザーは、裏当て部材２２を所望のサイズにトリムした後、接着ストリップ２４ａ、２４ｂの一方又は両方を貼り付ける。他の実施形態では、裏当て装置２０のサイズは、配置に先立ってユーザーによって調整されない。
【００２７】
図５Ａ及び５Ｂに示されるように、第１の裏当て装置２０Ａ（概略的に示される）が提供され、対応する裏当て部材２２がユーザーにより手作業で折り曲げられた状態に折り畳まれる。折り曲げられた状態では、裏当て装置２０Ａは、穴８６を容易に「通り抜ける」（裏当て部材２２が平らな状態のままで裏当て装置２０Ａを穴８６を通して挿入しようとする場合と比較して）。
【００２８】
裏当て装置２０Ａが穴８６を完全に通り抜けた（したがって後面８４に隣接した）後、図６Ａ及び６Ｂに示されるように、裏当て部材２２は折り曲げられた状態から平らな状態に、又は平らな状態に向かって自然に又は強制的に移行させられる。図６Ａの配置では、裏当て装置２０Ａは、第２の側縁部５２ｂと、穴８６を画定する壁８０の対応する外周縁９２（大まかに示される）との間に間隔９０が存在するように、穴８６に対して配置されている。これにより、ユーザーは、穴８６を「通じて」（すなわち、間隔９０を介して）裏当て装置２０Ａを容易につかんで操作することが可能である。このようにして裏当て装置２０Ａを扱うことで、ユーザーは、裏当て部材２２が平らな状態か又はこれに近い状態で、接着ストリップ２４ａ、２４ｂの接着面６０が後面８４に面するようにして裏当て装置２０Ａを配置する。接着ストリップ２４ａ、２４ｂのそれぞれが剥離ライナー（図示せず）を備えている実施形態では、剥離ライナーは、裏当て装置２０Ａを穴８６に通す直前、又はその直後に、対応する接着ストリップ２４ａ、２４ｂから必要に応じて剥離される。裏当て装置２０Ａが図に示されるように配置された（例えば、接着ストリップ２４ａ、２４ｂ及び第１の側縁部５２ａが穴８６の「外側」にある）状態で、ユーザーは裏当て装置２０Ａを後面８４に向けて移動させる（図６Ｂの矢印Ｄで示される）。これにより、図６Ｃに示されるように、接着ストリップ２４ａ、２４ｂの接着面６０が壁８０の後面８４と接触し、裏当て装置２０Ａを壁８０に連結又は固定する。裏当て装置２０Ａが背面８４に接触するように押しつけられるにしたがって、裏当て部材２２の対向面２６、２８に力が加わり（例えば、背面２８にユーザーにより加えられる力と、正面２６に壁８０により作用する抵抗力）、裏当て部材２２が平らな状態となる。
【００２９】
図７は、壁８０に固定された状態の第１の裏当て装置２０Ａを示している。次いで、第２の裏当て装置２０Ｂを、間隔９０を介して穴８６に通すのに充分なサイズの折り曲げられた状態に折り畳む。上記に述べたように、第２の裏当て装置２０Ｂは、配置に先立って必要に応じて所望のサイズにトリムすることができる。いずれにせよ、第２の裏当て装置２０Ｂは、図８Ａ（正面図）及び８Ｂ（背面図）に示されるように、上記の説明と同様にして後面８４に固定される。図に示されるように、最終的な組み立てられた構成では、第１及び第２の裏当て装置２０Ａ、２０Ｂは穴８６の大部分を包含しており、裏当て装置２０Ａ、２０Ｂの中央領域５０の「露出した」部分がそれぞれ、連続した途切れのない表面を与えている。しかしながら、裏当て装置２０Ａ、２０Ｂの間には隙間１００が残る場合がある（第２の裏当て装置２０Ｂを扱って壁８０の後面８４と接触するように押しつける際にユーザーの指によって形成される）。本開示の特定の方法では、隙間１００を覆うために、１つ以上の更なる構成要素又は物品がユーザーによって用いられる。
【００３０】
例えば、図９Ａは、テープストリップ１０２（又は他の同様の物品）が第１及び第２の裏当て装置２０Ａ、２０Ｂに固定され、隙間１００（図８Ａ）にわたって延びることで隙間１００を覆っている、選択的な一実施形態を示している。関連する実施形態では、本開示のキットは、必要に応じてテープのロールを含んでもよく、これからテープ１０２を与えるか又は得る。あるいは、図９Ｂに示されるように、金属メッシュ１０４を適当なサイズに切断し、少なくとも隙間１００を包含するように第１及び第２の裏当て装置２０Ａ、２０Ｂに固定することができる。関連する実施形態では、本開示のキットは、必要に応じて金属メッシュ材料のシート（及び必要に応じて、シートから切り取られた金属メッシュ材料片を固定するためのテープ）を含むことができる。これに代えて隙間１００を覆うために他のカバー物品を用いることもできる。正確な構成によらず、第１及び第２の裏当て装置２０Ａ、２０Ｂは壁の後面８４に取り付けられるため（前面８２に適用される場合と異なり）、穴８６の領域において裏当て装置２０Ａ、２０Ｂに貼り付けられるテープストリップ１０２、メッシュ材料１０４などの厚みが前面８２から突出することはない。図９Ｃは、この関係を大まかに示したものであり、第１及び第２の裏当て装置２０Ａ、２０Ｂに組み付けられ、隙間１００にわたって延びることで隙間１００を覆っているカバー物品１０６を概略的に示している。このように組み立てられたカバー物品１０６は、以下に述べられるような塗布される壁補修用コンパウンドによって前面８２に不規則部分／非平坦移行部を形成しうる、壁８０の前面８２の平面を越えるような表面を生じない。ちなみに、組み立てられた第１の裏当て装置２０Ａ、第２の裏当て装置２０Ｂ、及びカバー物品１０６は集合的に、穴８６を連続的に包含する足場構造１１０を形成する。
【００３１】
図１０に示されるように、次に、壁補修用コンパウンド１２０を穴８６内、かつ足場構造１１０上に塗布することができる。壁補修用コンパウンド１２０は、従来の方法で塗布されるスパックリングコンパウンドであってよい（例えば、スパックルナイフ又は同様のツールによって穴８６内及びスパックリングコンパウンド１２０上に塗り広げられる）。他の実施形態では、壁補修用コンパウンド１２０は、よりパン生地状の粘稠度を有するような配合とすることができる（例えば、その教示内容の全体を本明細書に参照により援用するところの、発明の名称が「大きな壁の穴の補修用コンパウンド及びその使用方法（Ｌａｒｇｅ  Ｈｏｌｅ  Ｗａｌｌ  Ｒｅｐａｉｒ  Ｃｏｍｐｏｕｎｄ  ａｎｄ  Ｍｅｔｈｏｄｓ  ｏｆ  Ｕｓｅ）」である米国特許出願第６２／０１５０７６号、同第６２／１１００３８号、及び同第６２／１１０７６２号に記載されるように）。これらの及び同様の実施形態では、本開示の方法は、ユーザーが一定量のパン生地状の壁補修用コンパウンドを丸めて成形し、次いで成形したコンパウンドを穴８６内に挿入して押圧することを含む。
いずれにせよ、適用された壁補修用コンパウンド１２０は、乾燥したら、サンドペーパーで磨くか、又は一般的なスパックル仕上げ操作に供することができる。
【００３２】
本開示の原理に基づいた、本開示の選択的なキット及び方法とともに有用な別の裏当て装置２００が図１１に示されている。裏当て装置２００は、上記に述べたような裏当て部材２０２、並びに第１及び第２の接着ストリップ２４ａ、２４ｂ（大まかに描図されている）を有している。裏当て部材２０２は、背面２０６の反対側に正面２０４を概ね規定しており（大まかに参照されている）、正面２０４に接着ストリップ２４ａ、２４ｂが貼り付けられる。更に、裏当て部材２０２は、図１１の平らな状態から一方向に容易に折り畳み可能であり、（平らな状態で）逆方向には比較的堅くて曲がらないように構成されている。
【００３３】
裏当て部材２０２は、上記に述べた長さ及び幅寸法のいずれをも含む、様々な形状及びサイズをとることができる。裏当て部材２０２は複数のパネル２１０を有しており、それらの隣り合ったもの同士はヒンジ部分２１２によって連結されている。複数のパネル２１０は、対向する最も外側のパネル２１０ａ、２１０ｂを含んでおり、これらは更に、裏当て装置２００の対向する側縁部２１４ａ、２１４ｂを画定している。複数のパネル２１０は、残りのパネル２１０よりも幅広であってよい（それ以外は同じ形状及びサイズを有してよい）中央パネル２１０ｃを更に含むことができる。中央パネル２１０ｃには通路２１６を形成することができる。いずれにせよ、ヒンジ部分２１２は、各パネル２１０が互いに対して関節動作できるように、また、必要に応じてパネル２１０が平らな状態を越えて（一方向に）関節動作できないように構成されている。
【００３４】
例えば、図１２Ａは、平らな状態の裏当て部材２０２を示しており、図１２Ｂは、折り曲げられた状態の一例を提供している（裏当て部材２０２は他の多くの折り曲げられた状態の配置に関節動作させることができる点は理解されよう）。図１２Ａ及び１２Ｂの向き、並びに指定されたｘ（又は幅）及びｚ（又は深さ）方向に対して、ヒンジ部分２１２は、裏当て部材２０２が平らな状態から正のｚ方向すなわち深さ方向に容易に折り畳まれることを可能とする。図１２Ａと図１２Ｂを比較すると、裏当て部材２０２を平らな状態から折り畳むことは、対向する側縁部２１４ａ、２１４ｂが、正のｚ方向（又は深さ方向）に互いに対して関節動作することを伴い、これにより、折り曲げられた状態（図１２Ｂ）の裏当て部材２０２の最大幅ＷＣは平らな状態（図１２Ａ）の裏当て部材２０２の最大幅ＷＦよりも小さくなる。別の言い方をすれば、裏当て部材２０２は、平らな状態から正面２０４の方向に容易に関節動作するか又は折り畳まれるように構成されている（すなわち、折り曲げられた状態は、正面２０４が凹状の曲線を概ね形成又は画定するのに対して、背面２０６は凸状の曲線を概ね形成又は画定することを伴う）。ヒンジ部分２１２は、裏当て部材２０２が折り曲げられた状態から平らな状態に容易に関節動作するか又は折り畳まれることを可能とする（例えば、裏当て部材２０２は、図１２Ｂの折り曲げられた状態から図１２Ａの平らな状態に、負のｚ方向又は深さ方向に容易に移行可能である）ものであるが、いったん平らな状態となれば、ヒンジ部分２１２は、負のｚ方向又は深さ方向への更なる折り畳みに抗するか又はこれを防止する。これにより、裏当て部材２０２は、正面２０４が凸状の曲線を形成又は画定するか、又は背面２０６が凹状の曲線を形成又は画定しうるような、裏当て部材２０２の折り畳み又は折れ曲がりに明確に抗するものである。このような裏当て部材２０２の選択的な強化された構成は、下記に分かりやすく述べるように裏当て装置２００（図１１）の壁の表面への組み付けを促進するものである。
【００３５】
ヒンジ部分２１２は、上記に述べた選択的な性能特性を実現するのに適した様々な異なる形態をとることができる。例えば、例示的な一実施形態では、ヒンジ部分２１２はそれぞれ、各パネル２１０間に延びて各パネル２１０同士を相互連結する薄い連続したウェブ２２０によって部分的に形成される。ウェブ２２０は可撓性であり、隣り合ったパネル２１０の繰返しの関節動作を可能とする一方で、その構造的一体性を維持する。更に、各ヒンジ部分２１２は、対応する隣り合ったパネル（例えば、パネル２１０ｃ、２１０ｄ）の、平らな状態を（背面２０６の方向に）越えた関節動作に明確に抗するように構成された係止機構２２２（ヒンジ部分２１２ａについて中央パネル２１０ｃとすぐ隣のパネル２１０ｄとの間に示されている）を有している。係止機構２２２は、ヒンジ部分２１２のそれぞれで同じものであってよい。中央パネル２１０ｃとすぐ隣のパネル２１０ｄとの間のヒンジ部分２１２の係止機構２２２を特に参照すると、係止機構２２２は、特定の実施形態において、中央パネル２１０ｃから背面２０６の方向に突出した第１のレール２３０、すぐ隣のパネル２１０ｄから背面２０６の方向に突出した第２のレール２３２、及び、第２のレール２３２から第１のレール２３０の方向に突出したリブ２３４を有している。図１２Ｂの折り曲げられた状態では、リブ２３４は、係止機構２２２がパネル２１０ｃ、２１０ｄのｚ（又は深さ）方向への互いに対する折り畳みを妨げないように第１のレール２３０から離間している。しかしながら、係止機構２２２は、図１２Ａの平らな状態において、リブ２３４が第１のレール２３０と接触又は当接してパネル２１０ｃ、２１０ｄが負のｚ方向又は深さ方向（すなわち、背面２０６の方向）に互いに対して折り畳まれることを妨げるか又は防止するように構成されている。
【００３６】
係止機構２２２は、裏当て部材２０２が平らな状態を越えて背面２０６の方向に過剰に折り畳まれることを防止するのに適した他の多くの形態をとることができる。しかしながら、図１１〜１２Ｂの例示的な実施形態では、ヒンジ部分２１２（すなわち、連続したウェブ２２０と係止機構２２２）は、裏当て部材２０２を連続的な押出し成形されたプラスチック部品として形成するのに特に適している。図１３は、押出し成形された裏当て部材２３８が押出し成形機のダイから出る際の裏当て部材２３８の可能な形状又は断面を示している。概ね湾曲した断面２３８により、押出し成形が可能であるようにリブ２３４と対向するレール２３０との間の充分な間隔が与えられる。上記に述べた必要に応じて設けられる穴（例えば、通路２１６（図１１））は、押出し成形された部品２３８にダイで打ち抜くことができる。他の材料及び／又は製造方法も許容される。
【００３７】
図１１に戻り、接着ストリップ２４ａ、２４ｂは上記に述べた形態のいずれをとることも可能であり、裏当て部材２０２の正面２０４に予め組み付けるか、又は代わりに、特定の実施形態では、エンドユーザーが貼り付けることができる。
【００３８】
裏当て装置２００は、図１４に一般的に示されるようにテザー２４０のような１つ以上の更なる構成要素を必要に応じて有することができる。テザー２４０は異なる形態（例えば、ひも、プラスチックストラップ、ワイヤなど）をとることができ、中央パネル２１０ｃを貫通して形成される任意の通孔２４２ａ、２４２ｂによって裏当て部材２０２に連結することができる。他の取り付け方法も同様に許容される。テザー２４０が設けられる場合、テザー２４０をユーザーの手首の周りに取り付けることで、ユーザーが誤って裏当て装置２００を落とした場合に裏当て部材２０２をユーザーとつながった状態に保つことができる。
【００３９】
裏当て装置２００は、例えば上記に述べたキット７０（図３）と同様のキットの一部としてユーザーに提供することができる。しかしながら、キットとともに含まれる裏当て装置２００は１個のみでよい。
【００４０】
多くの点で、壁の穴（例えば上記に述べた穴８６（図４Ａ及び４Ｂなど））の補修における裏当て装置２００の使用は、上記の説明と同様でありうる。エンドユーザーは、裏当て装置２００を、穴８６のサイズの評価に基づいて所望のサイズに最初にトリムすることができる。いずれにせよ、裏当て装置２００は、裏当て部材２０２が穴８６を通り抜けるような適当な大きさの折り曲げられた状態に構成されるように折り畳まれる。図１５Ａ及び１５Ｂは、最初に壁８０の「後ろ」に配置され、接着ストリップ２４ａ、２４ｂが後面８４に面するように配された裏当て装置２００を示している。図１５Ａに恐らく最も分かりやすく示されるように、中央パネル２１０ｃの通路２１６は、力又は圧力を裏当て部材２０２の背面２０６に加える（例えば、１本以上のユーザーの指を通路２１６から挿入して裏当て装置２００をつかんで背面２０６に圧力を加える）など、ユーザーが裏当て装置２００を扱うために都合のよい領域を与える。テザー２４０（図１４）が設けられる場合、テザー２４０はユーザーの手首の周囲に巻きつけられる。ユーザーが、裏当て装置２００を壁８０の後ろで操作している間に誤って落としてしまった場合、テザー２４０によって、裏当て装置２００が壁８０の後ろの地面に落下することが防止される。
【００４１】
図１５Ｂは、裏当て装置２００がユーザーによって最初に壁８０の後ろに配置される際に幾分湾曲した形状をとりうることを最も分かりやすく表しており、対向する端縁部２１４ａ、２１４ｂが後面８４と接触（又はほぼ接触）しており、裏当て装置２００の残りの部分は後面８４から離れる方向に自然に湾曲している。接着ストリップ２４ａ、２４ｂ（その一方が図１５Ｂで見えている）を後面８４と完全に接触させるには、ユーザーは、裏当て部材２０２の背面２０６に力を加え、裏当て装置２００を後面８４の方向に引っ張る（図１５Ｂの矢印Ｄによって示されている）。ここでもやはり、力を加えるユーザーの指が通路２１６を通って挿入されることで、裏当て部材２０２の形状に対して概ね中心に配置される。これにより、このように加えられた引っ張り力は裏当て部材２０２の中心に加えられる。
【００４２】
ユーザーによって加えられる引っ張り力に応じて、対向する側縁部２１４ａ、２１４ｂが後面８４に当接し、裏当て部材２０２が平らな状態に向かって押される。図１６に示されるように、裏当て部材２０２は最終的に平らな状態にまで押され、接着ストリップ２４ａ、２４ｂの接着面６０が後面８４とより完全に近密に接触をすることで、裏当て装置２００が壁８０に取り付けられる。
【００４３】
図１７Ａは、壁８０に取り付けられた状態の裏当て装置２００の正面図である。裏当て装置２００は、通路２１６を除いて穴８６を包含している又は覆っている。テザー２４０（図１４）が設けられている場合、テザー２４０は裏当て部材２０２から切り離されてもよく（例えば、切断する又は取り外す）、又は単純に通路２１６を通って逆向きに挿入されてもよい（したがって壁８０の「後ろ」となる）。いずれにせよ、この後、通路２１６は図１７Ｂに示されるようにカバー物品２４４によって覆われる。カバー物品２４４は、上記に述べた形態（例えば、１以上のテープのストリップ、金属メッシュなど）のいずれをとってもよく、裏当て装置２００と組み合わされて足場構造２５０を形成する。次いで、上記の説明のいずれかにしたがって壁補修用コンパウンド１２０を足場構造２５０に塗布することができる。
【００４４】
別の関連する実施形態の裏当て装置３００が図１８に示されており、裏当て部材３０２、接着ストリップ２４ａ、２４ｂ、及びテザー２４０を有している。裏当て部材３０２は、上記に述べた形態のいずれをとることもできる。裏当て部材３０２は、図１８の例示的な実施形態では裏当て部材３０２が通路２１６（図１１）を有する必要がない点を除けば、裏当て部材２０２（図１１）と同じであってよい。接着ストリップ２４ａ、２４ｂ及びテザー２４０は、上記に述べた構成又は形態のいずれを有してもよい。裏当て装置３００はキットの一部として提供することができ、上記の説明に概ねしたがって壁の穴の中に配置することができる。最初に、補修される壁の「後ろ」に裏当て装置３００が配置された後、裏当て部材３０２は平らな状態に移行させられ、ユーザーがテザー２４０に引張り力を加えることによって、接着ストリップ２４ａ、２４ｂの接着面６０が壁の後面と接触させられる。裏当て装置３００が壁の表面に固定されたなら、テザー２４０は、裏当て部材３０２から取り外されてもよく（例えば、切断する）、及び／又は穴の中に入れられてもよく、スパックリングコンパウンドをテザー２４０の上から塗布する。裏当て装置３００では上記で述べたカバー物品は必要ではない。
【００４５】
本開示の原理に基づいた、本開示の選択的なキット及び方法とともに有用な別の裏当て装置３００が、図１９Ａ及び１９Ｂに示されている。裏当て装置３００は、折り畳み式裏当て部材３２２及び少なくとも２つの接着ストリップ３２４ａ、３２４ｂを有している。異なる構成要素の詳細をここに示す。一般的に言うと、裏当て部材３２２は、図１９Ａ及び１９Ｂの平らな状態（補修しようとする穴よりも少なくとも１つの寸法において大きなサイズ又は設置面積を有する）から、補修しようとする穴をより容易に通り抜ける、折り曲げられた又は折り畳まれた状態へと折り畳み可能又は折り曲げ可能である。いったん穴を通り抜けたなら、裏当て部材３２２は平らな状態に自然に又は強制的に戻される（特定の実施形態では、場合により、平らな状態に自己復帰する裏当て部材３２２を含む）。次いで、裏当て部材３２２が平らな状態で、裏当て装置３００を接着ストリップ３２４ａ、３２４ｂにより壁の後面に取り付ける。特定の実施形態では、裏当て部材３２２は、平らな状態から一方向に容易に折り曲げることが可能であり、（平らな状態で）逆の方向には比較的堅くて曲がらない。
【００４６】
裏当て部材３２２は、背面３２８（図１９Ｂ）の反対側に正面３２６（図１９Ａ）を概ね規定している。本明細書で検討したように、裏当て部材３２２は、平らな状態から折り曲げられた状態に折り畳むことが可能であり、かつ（平らな状態で）少なくとも１つの方向に充分な剛性を示すことができる様々な形態をとることができる。裏当て部材３２２は複数のパネル３３０を有しており、それらの隣り合ったもの同士は対応したヒンジ部分３３２によって連結されている。例えば、図１９Ａ及び１９Ｂの例示的な裏当て部材３２２は、９つのパネルと８つのヒンジ部分３３２とを有している。本明細書に述べられるように、図１９Ａ及び１９Ｂの実施形態はあくまで例示的なものであって、この実施形態のすべての特徴は、均等物を作製するために本明細書の教示又は当業者には周知の教示を用いて変更することなどにより変更することができる。
【００４７】
本開示の壁補修用装置、キット、及び方法は、従来の設計と比較して著しい改良を提供するものである。本開示の裏当て装置は安価であり、スパックリング又は他の壁補修用コンパウンドを受容するための足場構造を壁の穴の後ろに確立する際に、ユーザーによって容易に扱われ、操作されるものである。
【００４８】
本明細書に引用した特許、特許文献、及び特許出願は、恰もそれぞれが参照によって個々に援用されているものと同様にして、それらの全容を参照によって援用するものである。上記より設定される発明の概念から逸脱することなく様々な変更及び改変を行いうることは当業者には明らかであろう。したがって、本開示の範囲は本明細書に述べられる構造に限定されるべきではない。
【図１Ａ】
0006516788.tif 000002
【図１Ｂ】
0006516788.tif 000003
【図２】
0006516788.tif 000004
【図３】
0006516788.tif 000005
【図４Ａ】
0006516788.tif 000006
【図４Ｂ】
0006516788.tif 000007
【図５Ａ】
0006516788.tif 000008
【図５Ｂ】
0006516788.tif 000009
【図６Ａ】
0006516788.tif 000010
【図６Ｂ】
0006516788.tif 000011
【図６Ｃ】
0006516788.tif 000012
【図７】
0006516788.tif 000013
【図８Ａ】
0006516788.tif 000014
【図８Ｂ】
0006516788.tif 000015
【図９Ａ】
0006516788.tif 000016
【図９Ｂ】
0006516788.tif 000017
【図９Ｃ】
0006516788.tif 000018
【図１０】
0006516788.tif 000019
【図１１】
0006516788.tif 000020
【図１２Ａ】
0006516788.tif 000021
【図１２Ｂ】
0006516788.tif 000022
【図１３】
0006516788.tif 000023
【図１４】
0006516788.tif 000024
【図１５Ａ】
0006516788.tif 000025
【図１５Ｂ】
0006516788.tif 000026
【図１６】
0006516788.tif 000027
【図１７Ａ】
0006516788.tif 000028
【図１７Ｂ】
0006516788.tif 000029
【図１７Ｃ】
0006516788.tif 000030
【図１８】
0006516788.tif 000031
【図１９Ａ】
0006516788.tif 000032
【図１９Ｂ】
0006516788.tif 000033